(57)【特許請求の範囲】
【請求項１】
樋外側面に上向き面を有する軒樋の当該上向き面に、板面の下部に受水部を有した雨垂れ防止カバーが被着され、前記受水部で受けた水を樋内に流下させる貫通孔が受水部の部位において上記カバーと樋外側面とを貫通させて設けてある構成を有する軒樋。
【請求項２】
樋外側面に上向き面を有する軒樋の当該上向き面に、板面の下部に受水部を有した雨垂れ防止カバーを被着して固定すると共に、受水部の部位において接合した上記カバーと上記樋部分とを貫通する貫通孔を形成し、受水部で受けた水を樋内に流下させるようにした軒樋の施工方法。
【発明の詳細な説明】
【０００１】
【発明の属する技術分野】
本発明は、雨垂れを防止可能な軒樋及び軒樋の施工方法に関する。
【０００２】
【従来の技術】
軒樋の断面形状は様々なものが提供されているが、樋内を見え難くして外観を良好に保ち得るように、軒樋の立ち上がり外側面（屋外から軒先を見たときの前面）の上部を、樋内方に向けて折曲し上向き面とした構成の軒樋が多く使用されている。図示の軒樋もその一種である。
【０００３】
【発明が解決しようとする課題】
しかしながら、上記構成のものは外観上は良好であっても、上向き面に雨水が当たり、そのまま樋外側を伝って軒下に流下し、雨垂れ現象を生じさせる原因となっていた。本発明は、この問題点に着眼し、外観の良好性を維持しつつ、雨垂れを生じさせない軒樋を提供し、あわせて雨垂れ防止のための軒樋の施工方法を提供せんとするものである。
【０００４】
【課題を解決するための手段】
上記課題を解決するために、本発明の軒樋は、樋外側面に上向き面を有する軒樋の当該上向き面に、板面の下部に受水部を有した雨垂れ防止カバーが被着され、前記受水部で受けた水を樋内に流下させる貫通孔が受水部の部位において上記カバーと樋外側面とを貫通させて設けてあることを特徴とする。また、本発明の軒樋の施工方法は、樋外側面に上向き面を有する軒樋の当該上向き面に、板面の下部に受水部を有した雨垂れ防止カバーを被着して固定すると共に、受水部の部位において接合した上記カバーと上記樋部分とを貫通する貫通孔を形成し、受水部で受けた水を樋内に流下させるようにしたことを特徴とする。
【０００５】
上記軒樋によれば、内向きに折曲した軒樋の上向き面に当たった雨水は、この面を伝うが、受水部によって受水され、かつ貫通孔を通して樋内に流下するので、樋外側から雨垂れすることがない。上記カバーの被着により、新設の軒樋に予め装着して雨垂れ防止軒樋を提供することができ、また、既設の軒樋の上向き面に補修工事により装着し、軒樋に雨垂れ防止機能を付加させることもできる。上記軒樋の施工方法によれば、新設であると既設であるとを問わず、現場施工においても簡単、便利に雨垂れ防止軒樋を形成することが可能となる。
【０００６】
【発明の実施の形態】
以下、本発明を一実施例として示した図面によって説明する。図１〜５は実施例の一を、図６は別の実施例の一を示している。
図１は雨垂れ防止カバーを有した軒樋の部分斜視図、図２はその設置状態を示す断面図、図３は雨垂れ防止カバーの断面図、図４は雨垂れ防止カバーの接続状態を示す部分斜視図、図５はカバー継ぎ手部分の断面図である。
【０００７】
図１〜３に示すように、軒樋１は、樋底面２と、その両側に立ち上がった樋外側面３、樋内側面４と、樋外側面上部を樋内側に向かって折曲形成した上向き面５とを有し、長尺状に形成してある。なお、図示では両側面の上縁部に樋耳６，６を設けあるが、樋耳を設けない構成としてもよく、樋底面と樋両側面とを円弧状の連続面とするなど、樋の断面形状は任意でよい。
上向き面５の外側には雨垂れ防止カバー７が装着してある。雨垂れ防止カバー７は、上向き面５に沿う板面７ａの上端部に上向き面５の上端部へ係止可能な鉤状断面の係合部７ｂを折曲形成し、板面７ａの下端部を外方向に折曲しかつ軒樋装着状態において先端方向が水平よりも上がり傾斜させて受水部７ｃを形成し、軒樋方向に適宜長さ好ましくは軒樋と略々同長さを有し、この長さ方向の両端部において受水部７ｃを塞ぐ端部塞ぎ面７ｄを形成してなっている。
【０００８】
上記雨垂れ防止カバー７は、上向き面５の上端部に係合部７ｂを係止させ、上向き面５に板面７ａを接合させると共に、下部を上向き面５下部にリベット止め７ｅなどして固着し、板面７ａの下端部と上向き面５とを貫通するように貫通孔８を穿設し、この貫通孔８は上向き面５の長手方向に適当間隔をおいて形成して軒樋の一部としてある。なお、貫通孔８の内周端面部分をコーキングするなどは任意である。
上記貫通孔８は現場施工で同時形成することができるが、軒樋或いはカバー成形時乃至成形後に、工場内において上向き面５と板面７ａの両方又はいずれか一方の所定部位に穿設しておくこともできる。いずれか一方に穿設した場合は、施工現場で他方に穿孔して貫通孔とすればよい。工場で穿孔しておく場合は、両面に形成する孔を同形としてもよく、上向き面５に形成する孔形を板面７ａに形成する孔形よりも大として形成することができる。
【０００９】
上記構成の雨垂れ防止カバー７付き軒樋１によれば、図１に示す如く、軒樋の上向き面５に当たった雨水は、この面を伝って流下し、受水部７ｃに受水されると共に、軒樋長手方向に流れ或いは軒樋の水勾配に沿って流れ、近くに形成されている貫通孔８から軒樋１内に流下し、樋外側から雨垂れすることがない。
【００１０】
軒樋同士の継ぎ手部分の雨垂れ防止は、軒樋の接続が通常は断面同形状の樋継ぎ手に軒樋端部を内嵌合させることによって行われているので、図４，５に示す如く、樋継ぎ手９を利用し、この上向き面９ａにカバー継ぎ手１０を固着することによって行う。
カバー継ぎ手１０は、樋継ぎ手９の上向き面９ａに接合する板面１０ａを上向き面５の横幅よりも広い適宜横幅として形成し、この板面１０ａの下端部を外方向に折曲しかつ軒樋装着状態において先端方向が水平よりも上がり傾斜させて受水部１０ｂを形成し、受水部１０ｂ先端部を下側にＶ状に折り返して係合部１０ｃを形成してなっている。
【００１１】
上記カバー継ぎ手１０は、係合部１０ｃの両端部分を樋継ぎ手９両側に接続されている軒樋１，１端部の受水部７ｃの張り出し部分に被着するように係合させると共に、板面１０ａを樋継ぎ手の上向き面９ａに接合させ、この状態において板面１０ａを上向き面９ａにリベット止めなどして固着する。
樋継ぎ手９の上向き面９ａに当たった雨水は、板面１０ａから受水部１０ｂに流下し、その両側或いは軒樋の水勾配に沿って流れ、雨垂れ防止カバーの受水部７ｃに流下し、近くに形成されている貫通孔８から軒樋１内に流入する。
【００１２】
図６は、上向き面５が湾曲面となっている軒樋１への雨垂れ防止カバー７の装着の別例を示している。
雨垂れ防止カバー７は板面７ａを曲面として形成することもできるが、少なくとも板面７ａを撓み変形可能な板面として形成してあるのが好ましい。板面７ａの上端に形成した係合部７ｂを上向き面５の上端部に係止させると共に、板面７ａを上向き面５に沿わせて下端部をリベット止めすれば、板面７ａは上向き面５の曲面に沿って撓み密接することになるので、前記と同様に作用し、雨水を貫通孔を通して樋内に流下させることができる。
【図面の簡単な説明】
【図１】本発明に係る軒樋の部分斜視図である。
【図２】図１の軒樋を軒先に設置した状態を示す断面図である。
【図３】軒樋の雨垂れ防止カバーの断面図である。
【図４】雨垂れ防止カバーの長手方向の接続部を示す部分斜視図である。
【図５】カバー継ぎ手の装着状態を示す部分断面図である。
【図６】図２とは異なる雨垂れ防止カバーの装着例を示す軒樋設置状態断面図である。
【符号の説明】
１        軒樋
２        樋底面
３        樋外側面
４        樋内側面
５        上向き面
６        樋耳
７        雨垂れ防止カバー
７ａ      板面
７ｂ      係合部
７ｃ      受水部
７ｄ      端部塞ぎ面
７ｅ      リベット止め
８        貫通孔
９        樋継ぎ手
９ａ      上向き面
１０        カバー継ぎ手
１０ａ      板面
１０ｂ      受水部
１０ｃ      係合部
【図１】
0003776279.tif 000002
【図２】
0003776279.tif 000003
【図３】
0003776279.tif 000004
【図４】
0003776279.tif 000005
【図５】
0003776279.tif 000006
【図６】
0003776279.tif 000007